(57)【要約】【課題】概日リズムを調整するための適切な波長の光を出力する照明装置の提供を目的とする。【解決手段】  複数の発光素子を備え、下向きに光を照射するよう基板に取り付けられる主光源を備える照明装置であり、該主光源は点灯時のピーク波長に４７０ｎｍ〜４８０ｎｍの波長を含めることが可能であり、時刻に応じて主光源の４７０ｎｍ〜４８０ｎｍの波長の出力量を変化させる。【選択図】図１５
2020129463.tif 000002
【特許請求の範囲】
【請求項１】
複数の発光素子を備え、下向きに光を照射するよう基板に取り付けられる主光源を備える照明装置であり、
該主光源は点灯時のピーク波長に４７０ｎｍ〜４８０ｎｍの波長を含めることが可能であり、
時刻に応じて主光源の４７０ｎｍ〜４８０ｎｍの波長の出力量を変化させることを特徴とした照明装置。
【請求項２】
複数の発光素子を備え、下向きに光を照射するよう基板に取り付けられる主光源と、
前記基板よりも上部に光を照射するよう前記基板よりも上側に取り付けられる複数の発光素子を備える副光源を備える照明装置であり、
前記副光源は点灯時のピーク波長に４７０ｎｍ〜４８０ｎｍの波長を含めることが可能であり、
時刻に応じて副光源の４７０ｎｍ〜４８０ｎｍの波長の出力量を変化させることを特徴とした照明装置。
【請求項３】
複数の発光素子を備え、下向きに光を照射するよう基板に取り付けられる主光源と、
前記基板よりも上部に光を照射するよう前記基板よりも上側に取り付けられる複数のＬＥＤ素子を備える副光源と、を備え、
前記主光源は点灯時のピーク波長に４７０ｎｍ〜４８０ｎｍの波長を含めることが可能であり、
を備え、
前記副光源は点灯時のピーク波長に４７０ｎｍ〜４８０ｎｍの波長を含めることが可能であり、
時刻に応じて主光源の４７０ｎｍ〜４８０ｎｍの波長の出力量と副光源の４７０ｎｍ〜４８０ｎｍの波長の出力量を変化させることを特徴とした照明装置。
【請求項４】
請求項１乃至３の何れか１項に記載の照明装置であって、
外部の機器との通信手段を有し、
請求項１乃至３の何れか１項に記載の現在の時刻を、前記通信手段を用いて取得することを特徴とした照明装置。
【請求項５】
請求項４に記載の照明装置であって、
前記通信手段はインターネット上のサーバーを含む別機器との接続であることを特徴とした照明装置。
【請求項６】
請求項４に記載の照明装置であって、
前記通信手段はローカルエリアネットワーク上の別機器との接続であることを特徴とした照明装置。
【請求項７】
請求項４に記載の照明装置であって、
前記通信手段は、前記照明装置を操作するための、時刻を記録することのできる操作インターフェースとの接続であることを特徴とした照明装置。
【請求項８】
請求項４に記載の照明装置であって、
前記通信手段は、電波時計と同じ標準電波であることを特徴とした照明装置。
【請求項９】
請求項４に記載の照明装置であって、
前記通信手段は、携帯電話網の電波であることを特徴とした照明装置。
【請求項１０】
請求項４に記載の照明装置であって、
前記通信手段は、GPS衛星からの電波であることを特徴とした照明装置。
【発明の詳細な説明】
【技術分野】
【０００１】
本発明は、照明装置に関する。
【背景技術】
【０００２】
概日リズムが乱れることにより、時差ぼけのような症状や概日リズム睡眠障害を引き起こすことが知られている。一般的に、光を浴びることで概日リズムが調整されることが知られており、特に光の波長が480nm近傍の光色は効果が高く、このような光を適切な時間帯に浴びることにより、睡眠を促すメラトニンの分泌量が増加したり、目覚めを促すセロトニンが活性化されたりといった効果があることが知られている。
【０００３】
特許文献１には、青色光には、日中に青色を含む光を浴びると、生体リズムを改善する効果があることが知られていると記載されている。
【先行技術文献】
【特許文献】
【０００４】
【特許文献１】特開2018-78011号公報
【発明の概要】
【発明が解決しようとする課題】
【０００５】
概日リズムを調整するための適切な波長の光を出力する照明装置の提供を目的とする。
【課題を解決するための手段】
【０００６】
複数の発光素子を備え、下向きに光を照射するよう基板に取り付けられる主光源を備える照明装置であり、該主光源は点灯時のピーク波長に４７０ｎｍ〜４８０ｎｍの波長を含めることが可能であり、時刻に応じて主光源の４７０ｎｍ〜４８０ｎｍの波長の出力量を変化させる。
【発明の効果】
【０００７】
本発明によれば、概日リズムを調整するための適切な波長の光を出力する照明装置を提供することができる。
【図面の簡単な説明】
【０００８】
【図１】本発明の実施形態に係るＬＥＤ照明装置を示す図であり、斜め下方向から見たときの示す外観斜視図である。
【図２】ＬＥＤ照明装置を斜め上方向から見たときの状態を示す外観斜視図である。
【図３】ＬＥＤ照明装置を斜め下方向から見たときの状態を示す分解斜視図である。
【図４】ＬＥＤ照明装置を斜め上方向から見たときの状態を示す分解斜視図である。
【図５】ＬＥＤ照明装置の中央縦断面図である。
【図６】セードを取り外してＬＥＤカバーの一部を断面したＬＥＤ照明装置を示す斜視図である。
【図７】間接光カバーの一部を断面したＬＥＤ照明装置を斜め上方向から見たときの状態を示す斜視図である。
【図８】ＬＥＤ光源基板の一例を示す底面図である。
【図９】間接光カバー及びセンサユニットを取り外したＬＥＤ照明装置を斜め上方向から見たときの状態を示す斜視図である。
【図１０】電線の配線状態を示す図であり、間接光カバーを取り外したＬＥＤ照明装置の要部拡大概略断面図である。
【図１１】図５のＡ部拡大図である。
【図１２】図５のＢ部拡大図である。
【図１３】リモコンのボタン操作により、主光源と間接光光源の点灯モードの移行を示す図である。
【図１４】電源基板に含まれる制御回路のブロック図である。
【図１５】本発明の機能を説明するブロック図である。
【発明を実施するための形態】
【０００９】
以下本発明の一実施例を図面に基づいて詳細に説明する。
【００１０】
以下、本発明の実施形態に係るＬＥＤ照明装置（ＬＥＤシーリングライト）について、適宜図面を参照しながら詳細に説明する。なお、本実施形態では、ＬＥＤ照明装置１の一例をして、平面視して円形のものを例に挙げて説明するが、形状はこれに限定されず、例えば、四角形、六角形、八角形等の多角形のものにも適用することもできる。また、本実施形態では、以下、主光源として発光ダイオード（ＬＥＤ）を用いたＬＥＤ照明装置１として説明するが、主光源はＬＥＤに限定されるものではない。
【００１１】
図１及び図２に示すＬＥＤ照明装置１は、例えば、家屋の天井面に設けられる引掛ローゼットや引掛シーリング等の屋内配線器具（図示省略）に係合する取付アダプタ（図示省略）を介することによって、外部電源に接続されると共に天井面の所定位置に固定されて利用に供されるものである。ＬＥＤ照明装置１は、例えば、丸型や角型等のものからなる（本実施形態では丸型である）。なお、以下の説明において、ＬＥＤ照明装置１が天井面に取り付けられた状態を基準として、紙面上側が天井側（上面側）、紙面下側が床側（下面側）である。
【００１２】
図３及び図４に示すように、ＬＥＤ照明装置１は、バックボーン１１、アダプタ受け部１２（絶縁板）、電源基板１３、放熱板１４、ＬＥＤ光源基板１５（第１の光源基板）、ＬＥＤカバー１６、センタカバー１７、リング部材１８、セード１９、間接光光源基板２０（第２の光源基板）、間接光カバー２１（上方カバー）、センサユニット２２等を備えて構成されている。
【００１３】
バックボーン１１は、鋼板（例えば、ＳＥＣＣ（電気亜鉛メッキ鋼板））を略円形状に加工成形したベース部材であり、凹面が床側を向くように略凹状（皿状）に形成されている。また、バックボーン１１の中央には、取付アダプタ（図示省略）が係止されるアダプタ取付孔１１ａが形成されている。  
アダプタ受け部１２は、難燃性及び電気絶縁性を有する合成樹脂（例えば、ＰＰ：ポリプロピレン樹脂等）で形成され、バックボーン１１の下面にねじ固定されるリング形状の固定部１２ａと、この固定部１２ａの内周縁部から床側（下方）に延出する円筒部１２ｂと、を有している。  
図３に示すように、電源基板１３は、図１４の制御回路１３１を含む点灯回路基板等を有し、アダプタ受け部１２（絶縁板）を介してバックボーン１１にねじ止めされている。これにより、電源基板１３は、バックボーン１１と、後記する放熱板１４とで囲まれた放熱空間内に、電気絶縁性を維持した状態で配置される。
【００１４】
また、電源基板１３は、この電源基板１３の下面に固定された電源コネクタ１３ｂに接続された電線２４を介して、取付アダプタ（図示省略）と電気的に接続されている。電源コネクタ１３ａは、電源基板１３とＬＥＤ光源基板１５、及び、間接光光源基板２０を電線２３でつなぐためのものである。これにより、ＬＥＤ照明装置１は、屋内配線器具（図示省略）、取付アダプタ（図示省略）、電線２３，２４、電源基板１３をそれぞれ介して、給電されるように構成されている。
【００１５】
制御回路１３１は、図１４で示すように、点灯回路１３０等の制御を行うマイクロコントローラ１３１１、リモコンの信号を受信するリモコン信号受信部１３１２、点灯状態の記録などを行うEEPROM １３１３などにより構成される。制御回路にはリアルタイムクロック１３１４やWiFi接続モジュール１３１５、電波時計用受信素子１３１６などを含んでもよい。また、WiFi接続モジュール１３１５はローカルエリアネットワークやインターネットへと接続される。
【００１６】
放熱板１４は、作動時に発熱する電源基板１３、及び複数のＬＥＤが実装されたＬＥＤ光源基板１５、及び、間接光光源基板２０の熱を放熱して冷却する役割を果たす金属製部材である。後記するＬＥＤ素子群１５ｂのＬＥＤは、熱に弱い性質がある。また、ＬＥＤは、使用時に、低電圧の大電流を流して高輝度発光を行うので、この発光に伴う発熱によってＬＥＤ自体や、周囲の部材が劣化するため、この劣化を抑制して長寿命・高信頼性を実現するに、適切な放熱を行うことが求められる。
【００１７】
放熱板１４は、鋼板を略円形状に加工成形したものであり、床側に突出する円錐台形状の基板支持部１４ａが形成されている。また、放熱板１４は、例えば、亜鉛メッキ鋼板等の熱伝導性の良好な金属を用いて構成され、しぼり加工を施すことによって、継ぎ目なく一体に成形されて、強度アップが図られている。また、放熱板１４は、バックボーン１１よりも大径に形成され、バックボーン１１よりも径方向外側に突出するようにしてバックボーン１１に取り付けられる。放熱板１４は、この放熱板１４の下面側に主光源の複数のＬＥＤ素子（ＬＥＤ素子群１５ｂ）が下向きに光を照射するようにＬＥＤ光源基板１５（第１の光源基板）を配置し、放熱板１４の上面側に後記する副光源の複数のＬＥＤ素子２０ａが上向きに光を照射するように間接光光源基板２０（第２の光源基板）を配置している。補足すると、ＬＥＤ光源基板１５は、放熱板１４の下面側に、当該下面に添うように配置されている。また、間接光光源基板２０は、高さ（厚さ）を抑えるように、放熱板１４の上面側（後記する環状部１４ｃの上面）に、当該上面に添うように配置されている。
【００１８】
なお、放熱板１４の径方向の中心には、アダプタ受け部１２の円筒部１２ｂと対応する位置に円形の貫通孔１４ｂが形成されている。また、放熱板１４の外周部には、水平に形成された円形の環状部１４ｃと、環状部１４ｃの外周部に形成されたカバー取付部１４ｅと、を有している。環状部１４ｃの下面には、後記するセード１９を掛止するための受け具１４ｄ（図３参照）が１２０°間隔で３箇所に取り付けられている。図４に示すように、環状部１４ｃの上面側には、環状部１４ｃの上面にねじ止めされる間接光光源基板２０と、この間接光光源基板２０を覆う間接光カバー２１と、が配置されている。
【００１９】
図５、図１１及び図１２に示すように、カバー取付部１４ｅは、間接光カバー２１が取り付けられる部位であり、放熱板１４の外周部に略テーパ状に拡開して形成されている。カバー取付部１４ｅの上部の環状部１４ｃ（放熱板１４の外周部）には、間接光光源基板２０がリング状に載設されて、副光源の多数のＬＥＤ素子２０ａが配置されている。
【００２０】
図６及び図１０に示すように、電線挿通孔１４ｆは、上側方向に向けて拡開するように傾斜した窪み状に形成された収納凹部１４ｈの外周壁に穿孔された貫通孔からなる。電線挿通孔１４ｆには、複数の電線２３が配線されている。電線挿通孔１４ｇは、環状部１４ｃに穿孔された貫通孔からなり、前記電線挿通孔１４ｆから引き出された電線２３が配線されている。収納凹部１４ｈは、電線２３が接続された電源基板１３が内設される収納空間である。
【００２１】
ＬＥＤ光源基板１５（第１の光源基板）は、バックボーン１１の下面側に放熱板１４を介在して配置されたリング形状の配線基板１５ａと、この配線基板１５ａの一面側（床面側）に同心円状に配置された複数のＬＥＤが半田付け等によって実装されている主光源のＬＥＤ素子群１５ｂと、を備えて構成されている。なお、ＬＥＤ素子群１５ｂの詳細については後記する。
【００２２】
配線基板１５ａは、例えば、アルミニウム合金製の略環状の金属板に絶縁層及び銅箔パターン等を形成することで構成され、あるいは、熱伝導性の良好な樹脂（例えば、ポリイミド樹脂等）の平板上に銅箔パターン、ソルダーレジスト等を形成することで構成されている。また、配線基板１５ａは、放熱板１４にねじ止めされている。
【００２３】
本実施形態では、前記のような構成のバックボーン１１と、放熱板１４とを備えることによって、放熱空間の容積を大きくし（放熱空間の空気の量を多くし）、電源基板１３及びＬＥＤ光源基板１５の放熱効率の向上を図っている。その結果、ＬＥＤ素子群１５ｂの発光効率を高くできる。
【００２４】
図３及び図８に示すＬＥＤ光源基板１５は、１８畳用のＬＥＤの配列パターンの一例を示している。図８に示すように、ＬＥＤ素子群１５ｂは、昼光色（Ｄ色）の光を発する複数個の昼光色ＬＥＤ（Light Emitting Diode）１５ｂ１と、電球色（Ｌ色）の光を発する複数個の電球色ＬＥＤ１５ｂ２と、青色の光を発する複数個の青色ＬＥＤ１５ｂ３と、保安灯用のＬＥＤ１５ｂ４と、を備えて主光源を構成されている。また、ＬＥＤ光源基板１５の外周端には、外側に向けて突出形成された略円弧形状の突出片１５ｃと、突出片１５ｃの基端部に形成された電線挿通孔１５ｄ（図４参照）と、突出片１５ｃに載設されて電線２３に接続された３つのコネクタ部１５ｅ（図６参照）と、有している。
【００２５】
昼光色ＬＥＤ１５ｂ１は、ピーク波長が４３０ｎｍ〜４６０ｎｍのものであり、外周側から内周側にかけて同心円状に複数列（例えば、９列）に形成されている。
【００２６】
電球色ＬＥＤ１５ｂ２は、ピーク波長が５５０ｎｍ〜６５０ｎｍのものであり、同心円状に複数列配置された各列において昼光色ＬＥＤ１５ｂ１を間に挟んで配置されている。すなわち、電球色ＬＥＤ１５ｂ２は、同心円状の各列において、周方向に２個の昼光色ＬＥＤ１５ｂ１を間に挟んで配置されている。内周側から２列目における電球色ＬＥＤ１５ｂ２は、１個または２個の昼光色ＬＥＤ１５ｂ１を間に挟んで配置されている。また、昼光色ＬＥＤ１５ｂ１と電球色ＬＥＤ１５ｂ２とは、同心円状の各列において、周方向に向けて等間隔または略等間隔に配置されている。
【００２７】
青色ＬＥＤ１５ｂ３は、ピーク波長が４７０ｎｍ〜４８０ｎｍのものであり、同心円状に複数列配置された昼光色ＬＥＤ１５ｂ１と、電球色ＬＥＤ１５ｂ２の最外周と最内周との間において、周方向に間隔を空けて円環状に配置されている。図８の実施形態において、昼光色ＬＥＤ１５ｂ１と電球色ＬＥＤ１５ｂ２とが配置された列は、円環状に配置された青色ＬＥＤ１５ｂ３の内周側には同心円状に５列配置、外周側には同心円状に４列配置となっている。
【００２８】
図８に示すＬＥＤ素子群１５ｂは、例えば、２７５個の昼光色ＬＥＤ１５ｂ１、１４２個の電球色ＬＥＤ１５ｂ２、及び、４１個の青色ＬＥＤ１５ｂ３によって構成されている。青色ＬＥＤ１５ｂ３の数は、昼光色ＬＥＤ１５ｂ１及び電球色ＬＥＤ１５ｂ２の合計数の１０％程度とすることが好ましい。
【００２９】
なお、放熱板１４及びＬＥＤ光源基板１５には、ＬＥＤ素子群１５ｂから光を床側に反射させる白色塗料によって反射塗装が行われている。
【００３０】
ＬＥＤカバー１６は、複数のＬＥＤ素子群１５ｂから発せられた光束を表面側（床側）へ導く機能と、ＬＥＤ光源基板１５を放熱板１４に対して密着させるように押圧する機能と、主光源であるＬＥＤ素子群１５ｂの下面側全体を覆う機能等を有している。
【００３１】
ＬＥＤカバー１６は、例えば、ポリスチレン（ＰＳ）、ポリカーボネート（ＰＣ）、アクリル（ＰＭＭＡ）等の透光性及び電気絶縁性を有する樹脂を用いて、射出成形等によって一体成形されている。特に、透明性、コスト及び成形性の点においてポリスチレンを使用することが好ましい。また、ＬＥＤカバー１６に用いられる材料は、透光性及び電気絶縁性を備えるものであれば、樹脂に限定されるものではなく、ガラス等であってもよい。
【００３２】
図６に示すように、ＬＥＤカバー１６は、ＬＥＤ光源基板１５の発光面（ＬＥＤ素子群１５ｂが実装されている面）全体を覆う略円形状のＬＥＤカバー部１６ａと、ＬＥＤカバー部１６ａの外周縁部から背面側（天井側）に向けて延びる円筒状の壁部１６ｂと、壁部１６ｂの上端（背面側）から径方向外側に向けて突出するつば部１６ｃと、ＬＥＤ光源基板１５を収納する基板収納部１６ｄと、を有している。
【００３３】
また、ＬＥＤカバー１６では、ＬＥＤカバー部１６ａが放熱板１４の基板支持部１４ａにねじ固定され、つば部１６ｃが放熱板１４の環状部１４ｃにねじ固定されている。
【００３４】
壁部１６ｂは、ＬＥＤカバー部１６ａに対して略直交する方向に延びて形成されている。また、壁部１６ｂには、図示しない切欠きが形成され、ＬＥＤカバー１６内の熱を外部に逃すことができるようになっている。なお、切欠きの開口面積は、使用者の指が挿入できない大きさに設定されている。これにより、使用者が手（指）で直接にＬＥＤ光源基板１５に触れるのを防止できる。
【００３５】
つば部１６ｃは、ＬＥＤカバー１６をＬＥＤ光源基板１５の外周側において放熱板１４に固定する固定部である。つば部１６ｃは、周方向に沿って延在し、３箇所に分割されて形成されている。基板収納部１６ｄは、つば部１６ｃから傾斜して窪んだ状態に形成されて、その内底部位にＬＥＤ光源基板１５が水平に配置されて、ＬＥＤ素子群１５ｂが収容されている。
【００３６】
図６は、ＬＥＤ光源基板１５の下側に一部断面を有するＬＥＤカバー１６を取り付けた状態の一例を示す斜視図である。図８に示すＬＥＤ素子群のＬＥＤは、図６に示すＬＥＤカバー１６において、対応する複数のドーム形状部１６ａ２を介して光を床側に出射するように構成されている。本実施形態では、１個のＬＥＤの組を、一つのドーム形状部１６ａ２内に収容しているが、ドーム形状部１６ａ２内に収容されるＬＥＤの数はこれに限定されない。例えば、一例を挙げると、一つのドーム形状部１６ａ２内に配置される２個のＬＥＤの組のうち、一方は昼光色ＬＥＤ１５ｂ１であり、他方は電球色ＬＥＤ１５ｂ２である。
【００３７】
センタカバー１７は、装置本体の中央において露出する取付アダプタ（図示省略）を覆う部材であり、例えば、難燃性を有する合成樹脂（例えば、ＰＰ：ポリプロピレン樹脂）によって形成されている。また、センタカバー１７は、円板状に形成され、ＬＥＤカバー１６に着脱自在に取り付けられている。
【００３８】
リング部材１８は、リング部の内周側が透光材からなるセード１９の外周側に保持され、リング部の外周側がセード１９の外周よりも外側に突出するように構成されている。リング部材１８は、光透過性を有する材料で形成されている。
【００３９】
図５に示すように（併せて図３及び図４に示すように）、ＬＥＤカバー部１６ａは、径方向の中央部に円形の貫通孔１６ａ１が形成されている。ＬＥＤカバー部１６ａには、ＬＥＤ光源基板１５のＬＥＤ素子群１５ｂ（昼光色ＬＥＤ１５ｂ１、電球色ＬＥＤ１５ｂ２、青色ＬＥＤ１５ｂ３）のそれぞれに対応する位置にドーム形状部１６ａ２が形成されている。なお、ドーム形状部１６ａ２は、レンズ機能を有するものであり、昼光色ＬＥＤ１５ｂ１、電球色ＬＥＤ１５ｂ２及び青色ＬＥＤ１５ｂ３からの光束を拡散等させる部材である。
【００４０】
セード１９は、透光性（透明、半透明、または、乳白色を含む）を有する樹脂製（例えば、アクリルや、ポリスチレン等）の透光カバーであり、ドーム状に構成されている。セード１９は、光源（ＬＥＤ素子群１５ｂ）から放射された光束を拡散させて、使用者がＬＥＤ照明装置１を直視した際のまぶしさを軽減したり、ＬＥＤ照明装置１が設置された空間の明るさを均一化したりする役割を果たす。セード１９は、放熱板１４の受け具１４ｄによって、着脱自在に係合保持されている。
【００４１】
図９に示すように、間接光光源基板２０（第２の光源基板）は、放熱板の上面側の外周部に、この外周部の全体の位置から光を照射するように配置されている。間接光光源基板２０は、３枚の略扇形状の基板をＣ字状に配置して連結して構成され、複数の副光源としてのＬＥＤ素子２０ａが実装されている。図９では、ＬＥＤ素子２０aは１６８個が搭載されている。ＬＥＤ素子２０ａは、それぞれ異なる波長を出力する複数種類のＬＥＤ素子を組み合わせてもよいし、その一部または全部は、たとえば青色ＬＥＤ１５ｂ３と同様の波長をもたらす副光源としてもよい。あるいは電球色ＬＥＤ１５ｂ２よりピーク波長の長い６５０ｎｍ以上の波長を出力する副光源としてもよい。間接光光源基板２０は、円周方向の端部に設けられた基板接続用のコネクタ２０ｂと、コネクタ２０ｂ間に配線された基板接続用の電線２０ｃと、電源接続用の電線２３と、この電線２３を挿通するための配線用切欠部２０ｅと、配線用切欠部２０ｅの近傍に取り付けられた電源接続用のコネクタ２０ｄと、を備えている（この例では間接光光源基板２０は円弧状の３つ基板が連結して構成されている）。そして、間接光光源基板２０は、放熱板１４の上面側の周部の環状部１４ｃ上にねじ止めて配置されている。
【００４２】
このため、図１１及び図１２に示すように、ＬＥＤ素子２０ａは、放熱板１４の上面側の周部全体の位置から光を照射するように配置されている。また、ＬＥＤ素子２０ａは、ＬＥＤ光源基板１５の外周部よりも外周側に配置されている。
【００４３】
間接光光源基板２０（第２の光源基板）の上部側には、この間接光光源基板２０を上方から覆う環状の透光製樹脂からなる間接光カバー２１（上方カバー）が設けられている（図３参照）。間接光カバー２１は、副光源のＬＥＤ素子２０ａから放射された光を反射する反射部２１ａ，２１ｂと、間接光光源基板２０の上面を覆う基板収容部２１ｃと、基板収容部２１ｃに上面側に形成された山状部２１ｄと、間接光カバー２１の内縁に形成された内縁部２１ｅ（図３、図４及び図７参照）と、山状部２１ｄの外周部に形成された外縁部２１ｆと、を有している。
【００４４】
図１１に示すように、反射部２１ａは、山状部２１ｄの内面（天井面）から下方向に向けて突出形成された略環状の突出片からなり、外側面でＬＥＤ素子２０ａから放射された光を外周方向に向けて反射するように形成されている。また、図１２に示すように、反射部２１ｂは、山状部２１ｄの内面（天井面）から下方向に向けて形成された略環状の肉厚部からなり、外側壁面でＬＥＤ素子２０ａから放射された光を外周方向に向けて反射するように形成されている。なお、反射部壁外周面に反射率の高い、反射シート等を取り付けたり、光を反射する反射材を塗装したりすることで、より効率よく、光を外周部へ出射することができる。下面視して略環状に形成された反射部２１ａ，２１ｂは、センサユニット２２が配置されている箇所では、それを避けるために、凹形状（略Ｃ字形状）に折曲がった形状に形成されている。
【００４５】
基板収容部２１ｃは、山状部２１ｄと、山状部２１ｄの内周部側に形成された平らな環状部位と、から形成されている。山状部２１ｄは、間接光光源基板２０の上面と、間接光カバー２１の下面との間に反射部２１ａ，２１ｂを形成するための空間を形成する部位である。山状部２１ｄは、上面が縦断視して山状（三角形状）に形成されて、上側に膨らんだ状態に形成されている。
【００４６】
図７に示すように、内縁部２１ｅは、間接光光源基板２０の内縁部の内周部に形状するように形成されている。図１１及び図１２に示すように、外縁部２１ｆは、山状部２１ｄの外周部から下側方向に向けて形成されて、放熱板１４のカバー取付部１４ｅの外周面を覆うように配置されている。
【００４７】
図３及び図４に示すように、センサユニット２２は、例えば、ＬＥＤ照明装置１が設置された環境（空間）の明るさに応じてＬＥＤ素子群１５ｂへの供給電力を変化させて、ＬＥＤ照明装置１下で一定の照度が得られるようにする機能を提供する。また、ＬＥＤ照明装置１下の照度を検知する。センサユニット２２は、間接光光源基板２０のＣ字状に切欠形成された部位の上部に取り付けられている。
【００４８】
［作用］
次に、図５、図１１及び図１２を主に各図を参照しながら本発明の実施形態に係るＬＥＤ照明装置１の作用を説明する。
【００４９】
図１及び図２に示すＬＥＤ照明装置１は、電源及び電源回路（図示省略）から電力を供給されることによって動作する。その電源回路は、電源の電力を所定の電圧あるいは電流に調整する機能を有する。また、ＬＥＤ照明装置１は、受光部（図示省略）でリモコンから出力される信号（例えば、赤外光）を受信して、受信した信号を制御部（図示省略）に送信する機能を有する。
【００５０】
また、図点灯回路は、制御部から受信した制御信号に基づいて、昼光色ＬＥＤ１５ｂ１、電球色ＬＥＤ１５ｂ２、青色ＬＥＤ１５ｂ３を駆動する機能を有する。また、点灯回路（図示省略）は、制御部から受信した制御信号に基づいて、昼光色ＬＥＤ１５ｂ１、電球色ＬＥＤ１５ｂ２、青色ＬＥＤ１５ｂ３を駆動する駆動電流を個別に変更する機能を有する。
【００５１】
リモコン（図示省略）は、ボタンを操作することによって、設定された信号を出力する機能を有し、例えば、点灯モードとして、全灯モード、明るさアップモード、青色ＬＥＤ追加モード、明るさアップモード＋青色ＬＥＤ追加モード等に設定することができるようになっている。ちなみに、昼間に概日リズムを調整するときは、リモコンの所定のボタンを押下すると、昼光色ＬＥＤ１５ｂ１と電球色ＬＥＤ１５ｂ２の明るさが増すとともに、青色ＬＥＤ１５ｂ３が点灯して青緑色光をプラスし、さらに明るく、より太陽光に近い自然な明かりを実現する。これにより、概日リズムが昼間の状態に調整される。また、以降に記載している間接光光源基板２０上の多数のＬＥＤ素子２０ａの点灯や消灯に関する間接光（ひろびろ光）モードもリモコンの所定のボタンを押下する事で設定することができる。間接光（ひろびろ光）モードはボタンを押下する度に点灯状態を任意に変更でき、例えば主光源点灯時の操作の場合、主光源のみ点灯→主光源+間接光点灯→間接光のみ点灯→主光源のみ点灯といったように、点灯状態を選択することが出来る（図１３参照）。さらに点灯モードと間接光モードとを組み合わせることで、ＬＥＤ照明装置１について、より好みに合った点灯状態を選択することができる。
【００５２】
また、放熱板１４の上面側には、間接光光源基板２０を上方から覆う透光性の間接光カバー２１を備えると共に、その間接光カバー２１は、間接光光源基板２０上の複数のＬＥＤ素子２０ａから放射された光を外周方向に反射する反射部２１ａ，２１ｂを有している。このため、ＬＥＤ素子２０ａから照射された光は、間接光カバー２１の反射部２１ａ，２１ｂによって外周方向に反射されるので、外周方向（横方向）を照射して、部屋全体を明るく照明することができる。ＬＥＤ素子２０ａに主光源と異なる波長を出力する種類のＬＥＤ素子を組み合わせた場合には、外周方向に照射する光に限って色温度を変更することも可能である。
【００５３】
[動作の説明]
次に、本実施例の照明装置の特徴である、人体の概日リズム(生体リズム、あるいはサーカディアンリズム)を整える機能(以下本機能)の動作について図１５により説明する。
【００５４】
図１５は、制御ブロック図を示しており、
リモコンのボタン押下や電源基板への電源投入から点灯指示を判定し、本機能の有効無効を判断するS001、S001からの機能動作開始指示を受け、現在時刻を取得するS002、S002からの現在時刻に応じて主光源の調光量を決定するS003、S002からの現在時刻に応じて主光源の調色量を決定するS004、S002からの現在時刻に応じて副光源の調光量を決定するS005、S002からの現在時刻に応じて副光源の調色量を決定するS006、S003からの主光源の調光量とS004からの主光源の調色量から主光源の青色の出力度合いを決定するS007、S003からの主光源の調光量とS004からの主光源の調色量から主光源の電球色の出力度合いを決定するS008、S003からの主光源の調光量とS004からの主光源の調色量から主光源の昼白色の出力度合いを決定するS009、S005からの副光源の調光量とS006からの副光源の調色量から副光源の青色の出力度合いを決定するS010、S005からの副光源の調光量とS006からの副光源の調色量から副光源の電球色の出力度合いを決定するS011、S005からの副光源の調光量とS006からの副光源の調色量から副光源の昼白色の出力度合いを決定するS012、によって構成される。図１５で示されるブロックは繰り返し実行され、即時的に調光や調色が行われる。
【００５５】
人体の概日リズムを整えるためには、適切な時間に適切な波長の光を照射することが必要である。このため、現在の時刻から、青色をどの程度出力し、電球色をどの程度出力し、昼光色をどの程度出力するかを決定する。
【００５６】
まず、S001でリモコンの対応ボタン押下や、電源基板への電源投入などによる点灯指示を受けることで本機能が動作を開始する。
【００５７】
次に、S002ではリアルタイムクロック１３１４により現在の時刻を取得する。
【００５８】
現在の時刻は電波時計受信素子１３１６により取得してもよいし、WiFi接続モジュール１３１５を介してローカルエリアネットワークやインターネットへと接続し、時刻サーバーや別の機器と同期することにより現在時刻を取得してもよい。あるいは携帯電話網の電波やGPS衛星からの電波により現在時刻を取得してもよい。リモコン内で現在時刻の情報を保持しているは、リモコン信号に現在時刻の情報を含め、リモコン信号受信部１３１２から得てもよい。また、リアルタイムクロック１３１４は、長期間稼働することによりずれを生じることがあるため、リモコンやWiFi接続モジュール１３１５を介したローカルエリアネットワークやインターネット上から通信処理を行い、時間調整を行ってリアルタイムクロックの時刻を再設定してもよい。リアルタイムクロック１３１４に直接無線モジュールなどを接続され、自動的に時刻を設定するようにしてもよい。
あるいは、現在時刻の取得を行わずに、リモコンから現在時刻からの相対時間により青色の出力増加の開始までの時間や終了までの時間を指示してもよい。
【００５９】
現在時刻に基づいて、S003では主光源の調光量、S004では主光源の調色量、S005では副光源の調光量、S006では副光源調色量を決定する。ここで、調光量は光源全体の明るさを、調色量は青色・電球色・昼白色の出力の割合を示すパラメータである。ここで、昼間(たとえば午前3時から15時の間)には主光源をより明るい調光量にし、青色ＬＥＤ１５ｂ３や、副光源のＬＥＤ素子２０ａの出力を調整し、青色の出力を増加させるといった調色量を求める。逆に夜間(たとえば15時から27時(次の日の午前3時))の間には主光源の明るさを昼間より落とした調光量にして、昼光色ＬＥＤ１５ｂ１や青色ＬＥＤ１５ｂ３や副光源のＬＥＤ素子２０ａの出力といった青色のピーク波長に寄与する光源の出力を減じ、電球色ＬＥＤ１５ｂ２のようなピーク波長の長い光源の出力を増加させるような調色量を求める。特に、青色ＬＥＤ１５ｂ３は夜間に出力することで概日リズムを崩す可能性があるため、完全に出力を停止させることが望ましい。
【００６０】
また、青色の出力を増加させる期間や、青色の出力を減少させたり電球色の出力を増加させたりする期間は照明装置固有の時刻に固定してもよいし、季節や天気、日の出日の入りの時刻などの条件によって変動してもよいし、照明装置の使用者が自由に設定できてもよい。
【００６１】
さらに、主光源と副光源の青色・電球色・昼白色のそれぞれの出力の度合いについては、照明装置固有の割合にしてもよいし、照明装置の使用者が自由に設定できてもよい。照明装置の使用者が自由に設定できる場合は、夜間に青色を多く出力するなどの設定を行うなどして概日リズムを崩すことがないように、設定に制限を設けてもよい。
【００６２】
青色・電球色・昼白色の出力の度合いを変更するのは、昼間(たとえば午前3時〜15時)と夜間(たとえば15時〜27時)の2パターンでもよいし、より細かな段階を持たせてもよい。
【００６３】
青色・電球色・昼白色の出力の度合いを変更する際には、瞬時に度合いを切り替えてもよいし、1秒から5秒程度、あるいはそれ以上の10分などの時間をかけて徐々に出力の度合いを変更していってもよい。
時刻に応じて求めた主光源や副光源の調光量・調色量はS007〜S012へ渡される。
S007で求めた主光源の青色の出力度合いによって青色ＬＥＤ１５ｂ３の点灯回路が駆動され、S008で求めた主光源の電球色の出力度合いによって電球色ＬＥＤ１５ｂ２の点灯回路が駆動され、S008で求めた主光源の昼白色の出力度合いによって昼光色ＬＥＤ１５ｂ１の点灯回路が駆動され、S010で求めた副光源の青色の出力度合いと、S011で求めた副光源の電球色の出力度合と、S012で求めた副光源の昼白色の出力度合いによって副光源のＬＥＤ素子２０ａの点灯回路がそれぞれ駆動される
以上により、概日リズムを調整するための適切な波長の光を出力する照明装置を提供することができる。
【符号の説明】
【００６４】
１      ＬＥＤ照明装置
１３    電源基板
１３０  点灯回路
１３１  制御回路
１３１１  マイクロコントローラ
１３１２  リモコン信号受信部
１３１３  EEPROM
１３１４  リアルタイムクロック
１３１５  WiFi接続モジュール
１３１６  電波時計用受信素子
１５    ＬＥＤ光源基板（第１の光源基板）
１５ｂ  ＬＥＤ素子群（ＬＥＤ素子）
１５ｂ１  昼光色ＬＥＤ
１５ｂ２  電球色ＬＥＤ
１５ｂ３  青色ＬＥＤ
２０，２０Ａ  間接光光源基板（第２の光源基板）
２０ａ  ＬＥＤ素子
Ｓ００１  機能動作の有効・無効判定手段
Ｓ００２  現在時刻を取得する手段
Ｓ００３  主光源の調光量を決定する手段
Ｓ００４  主光源の調色量を決定する手段
Ｓ００５  副光源の調光量を決定する手段
Ｓ００６  副光源の調色量を決定する手段
Ｓ００７  主光源の青色の出力度合いを決定する手段
Ｓ００８  主光源の電球色の出力度合いを決定する手段
Ｓ００９  主光源の昼光色の出力度合いを決定する手段
Ｓ０１０  副光源の青色の出力度合いを決定する手段
Ｓ０１１  副光源の電球色の出力度合いを決定する手段
Ｓ０１２  副光源の昼光色の出力度合いを決定する手段
【図１】
2020129463.tif 000003
【図２】
2020129463.tif 000004
【図３】
2020129463.tif 000005
【図４】
2020129463.tif 000006
【図５】
2020129463.tif 000007
【図６】
2020129463.tif 000008
【図７】
2020129463.tif 000009
【図８】
2020129463.tif 000010
【図９】
2020129463.tif 000011
【図１０】
2020129463.tif 000012
【図１１】
2020129463.tif 000013
【図１２】
2020129463.tif 000014
【図１３】
2020129463.tif 000015
【図１４】
2020129463.tif 000016
【図１５】
2020129463.tif 000017